(57)【特許請求の範囲】
【請求項１】
前方が開口した貯蔵室を形成する本体と、
前記本体の前面に設けられ、前記貯蔵室の前方を開閉可能な扉と、
前記貯蔵室に設けられ、少なくとも前記扉側の前方および上方が開口し、前後に移動可能な引き出し式の収納容器と、
前記収納容器の上方に形成されている上方側開口の少なくとも一部を覆う棚と、
前記収納容器の前記扉側に形成されている前方側開口を覆う蓋部と、
前記貯蔵室を形成する前記本体の内壁または前記棚の幅方向の端部から下方へ形成されている側壁に設けられ、前記貯蔵室の前後へ伸びるレール部と、を備え、
前記蓋部は、前記収納容器を前記貯蔵室に収容した状態において、前記収納容器の開口を覆う閉鎖位置と、前記閉鎖位置よりも後方へ移動することにより前記収納容器の開口を開放する開放位置との間を移動可能であり、
前記蓋部が前記閉鎖位置にあるとき、前記収納容器を前方へ移動させると、前記蓋部は前記収納容器に連動して開放位置側へ移動するとともに、前記蓋部を前記開放位置よりもさらに後方へ移動させることにより、前記蓋部は前記収納容器との連動が解除されて前記収納容器の開口を常に開放する開放保持位置に保持され、
前記収納容器は、側壁の前端部にフランジを有し、
前記蓋部は、前記フランジと接する側に前記フランジと接触可能な二つ以上の突出部を有し、
前記蓋部が前記収納容器と連動するとき、前記突出部は前記フランジに接し、
前記蓋部が前記開放保持位置にあるとき、前記突出部はすべて前記フランジとの接触が解除されることを特徴とする冷蔵庫。
【請求項２】
前方が開口した貯蔵室を形成する本体と、
前記本体の前面に設けられ、前記貯蔵室の前方を開閉可能な扉と、
前記貯蔵室に設けられ、少なくとも前記扉側の前方および上方が開口し、前後に移動可能な引き出し式の収納容器と、
前記収納容器の上方に形成されている上方側開口の少なくとも一部を覆う棚と、
前記収納容器の前記扉側に形成されている前方側開口を覆う蓋部と、
一方の端部が前記蓋部に接続され、内側に軸方向へ伸びる長穴を有しているレバーと、
前記収納容器の側壁に設けられ、前記レバーの前記蓋部との接続部分とは異なる部分に接して前記蓋部の移動軌跡を規定する案内部材と、
前記貯蔵室を形成する前記本体の内壁または前記棚の幅方向の端部から下方へ形成されている側壁に設けられ、前記収納容器に向けて突出して前記長穴に挿入される軸部材と、
前記貯蔵室を形成する前記本体の内壁または前記棚の幅方向の端部から下方へ形成されている側壁に設けられ、前記貯蔵室の前後へ伸びるレール部と、を備え、
前記蓋部は、前記収納容器を前記貯蔵室に収容した状態において、前記収納容器の開口を覆う閉鎖位置と、前記閉鎖位置よりも後方へ移動することにより前記収納容器の開口を開放する開放位置との間を移動可能であり、
前記蓋部が前記閉鎖位置にあるとき、前記収納容器を前方へ移動させると、前記蓋部は前記収納容器に連動して開放位置側へ移動するとともに、前記蓋部を前記開放位置よりもさらに後方へ移動させることにより、前記蓋部は前記収納容器との連動が解除されて前記収納容器の開口を常に開放する開放保持位置に保持され、
前記蓋部は、前記案内部材に接する前記レバーが前記軸部材を軸として回転することにより、前記閉鎖位置から前記開放保持位置までの間の移動が案内されることを特徴とする冷蔵庫。
【請求項３】
前方が開口した貯蔵室を形成する本体と、
前記本体の前面に設けられ、前記貯蔵室の前方を開閉可能な扉と、
前記貯蔵室に設けられ、少なくとも前記扉側の前方および上方が開口し、前後に移動可能な引き出し式の収納容器と、
前記収納容器の上方に形成されている上方側開口の少なくとも一部を覆う棚と、
前記収納容器の前記扉側に形成されている前方側開口を覆う蓋部と、
前記貯蔵室を形成する前記本体の内壁または前記棚の幅方向の端部から下方へ形成されている側壁に設けられ、前記貯蔵室の前後へ伸びるレール部と、を備え、
前記蓋部は、前記収納容器を前記貯蔵室に収容した状態において、前記収納容器の開口を覆う閉鎖位置と、前記閉鎖位置よりも後方へ移動することにより前記収納容器の開口を開放する開放位置との間を移動可能であり、
前記蓋部が前記閉鎖位置にあるとき、前記収納容器を前方へ移動させると、前記蓋部は前記収納容器に連動して開放位置側へ移動するとともに、前記蓋部を前記開放位置よりもさらに後方へ移動させることにより、前記蓋部は前記収納容器との連動が解除されて前記収納容器の開口を常に開放する開放保持位置に保持され、
前記蓋部は、前記閉鎖位置にあるとき上方に位置し前記開放保持位置にあるとき後方側に位置する第一蓋体と、前記閉鎖位置にあるとき前記第一蓋体の下方に位置し前記開放保持位置にあるとき前記第一蓋体の前方に位置する第二蓋体とを有し、
前記第一蓋体と前記第二蓋体とは相対回転可能に接続され、
前記蓋部は、前記開放位置または前記開放保持位置にあるとき、前記蓋部の重心よりも後方に前記収納容器と接する突出部を有することを特徴とする冷蔵庫。
【請求項４】
前方が開口した貯蔵室を形成する本体と、
前記本体の前面に設けられ、前記貯蔵室の前方を開閉可能な扉と、
前記貯蔵室に設けられ、少なくとも前記扉側の前方および上方が開口し、前後に移動可能な引き出し式の収納容器と、
前記収納容器の上方に形成されている上方側開口の少なくとも一部を覆う棚と、
前記収納容器の前記扉側に形成されている前方側開口を覆う蓋部と、
前記貯蔵室を形成する前記本体の内壁または前記棚の幅方向の端部から下方へ形成されている側壁に設けられ、前記貯蔵室の前後へ伸びる水平溝部および前記水平溝部の前端近傍から前方かつ下方へ円弧状に伸びる円弧溝部を有するレール部をさらに備え、
前記蓋部は、前記収納容器を前記貯蔵室に収容した状態において、前記収納容器の開口を覆う閉鎖位置と、前記閉鎖位置よりも後方へ移動することにより前記収納容器の開口を開放する開放位置との間を移動可能であり、
前記蓋部が前記閉鎖位置にあるとき、前記収納容器を前方へ移動させると、前記蓋部は前記収納容器に連動して開放位置側へ移動するとともに、前記蓋部を前記開放位置よりもさらに後方へ移動させることにより、前記蓋部は前記収納容器との連動が解除されて前記収納容器の開口を常に開放する開放保持位置に保持され、
前記蓋部は、前記閉鎖位置にあるとき上方に位置し前記開放保持位置にあるとき後方側に位置する第一蓋体と、前記閉鎖位置にあるとき前記第一蓋体の下方に位置し前記開放保持位置にあるとき前記第一蓋体の前方に位置する第二蓋体とを有し、
前記第一蓋体の前記突出部は前記水平溝部に案内されて移動し、前記第二蓋体の前記突出部は前記円弧溝部に案内されて移動することを特徴とする冷蔵庫。
【請求項５】
前記蓋部が前記開放保持位置に移動すると、前記蓋部を前記開放保持位置で保持するロック機構部を有し、
前記ロック機構部は、前記レール部の前後方向において中央よりも前方側に設けられていることを特徴とする請求項１から４のいずれか一項記載の冷蔵庫。
【請求項６】
前記収納容器の幅方向の両端部において前記収納容器と前記蓋部との間に設けられ、前記蓋部の所定の一方向への回転移動を緩和するダンパをさらに備えることを特徴とする請求項１から４のいずれか一項記載の冷蔵庫。
【請求項７】
前記蓋部は、軸方向の両端部に外側へ突出する柱部を有し、
前記蓋部は前記収納容器の内側から力が加わると、前記柱部を軸に回転し、前記扉側に押し出されることを特徴とする請求項１から４のいずれか一項記載の冷蔵庫。
【請求項８】
前記レール部の前端または後端の少なくともいずれか一方に設けられ、前記蓋部と接することにより前記蓋部の移動を緩和する緩衝部材をさらに備えることを特徴とする請求項１から４のいずれか一項記載の冷蔵庫。
【請求項９】
前記収納容器の前端部は、前記貯蔵室の最も後方側に前記収納容器を位置させているとき、前記棚の前端部よりも前方にあることを特徴とする請求項１から４のいずれか一項記載の冷蔵庫。
【発明の詳細な説明】
【技術分野】
【０００１】
本発明は、冷蔵庫に関し、特に貯蔵室の内部に引き出し式の収納容器を備える冷蔵庫に関する。
【背景技術】
【０００２】
従来、冷蔵庫では、貯蔵室に一つまたは複数の収納容器を設け、貯蔵される食品の仕分けなどを容易にし、利便性の向上が図られている。例えば、チルドケースに蓋部を設け、この蓋部を回転させることにより、チルドケースを開閉する構成が知られている（特許文献１参照）。また、収納容器の前方を蓋部で覆い、蓋部が不要なときは冷蔵庫の後方側へ押し込むことにより、収納容器の前方側の開口を常に開口する構成が知られている（特許文献２参照）。
【特許文献１】特許第３３８０４９２号明細書
【特許文献２】実開平２−７７５７８号公報
【発明の開示】
【発明が解決しようとする課題】
【０００３】
しかしながら、特許文献１の場合、容器を引き出さない限り蓋部は容器を閉鎖したままである。そのため、容器に収納された物品を取り出すためには、容器を手前に引き出す必要がある。一方、特許文献２の場合、容器を覆う蓋部は、容器を開放した状態を維持する開放保持位置に移動される。これにより、蓋部が容器を常に開放した状態とすることができ、利便性が向上する。しかし、特許文献２の場合、蓋部を開放保持位置へ移動させるためには、手前側引きながら蓋部を回す開放動作と、開放した蓋部を後方へ押し込む押し込み動作とが必要となる。これらのように、容器から物品を取り出すためには、多段階の操作を必要とし、取り扱いが煩雑になるという問題がある。
【０００４】
そこで、本発明は、上記の課題に鑑みてなされたものであり、その目的は、収納容器の位置に関わらず蓋部の開閉が容易であり、簡単な操作で蓋部が収納容器の開口を開放した状態に保持される冷蔵庫を提供することにある。
【課題を解決するための手段】
【０００５】
上記の課題を解決するために本発明の冷蔵庫は、前方が開口した貯蔵室を形成する本体と、前記本体の前面に設けられ、前記貯蔵室の前方を開閉可能な扉と、前記貯蔵室に設けられ、少なくとも前記扉側の前方および上方が開口し、前後に移動可能な引き出し式の収納容器と、前記収納容器の上方に形成されている上方側開口の少なくとも一部を覆う棚と、前記収納容器の前記扉側に形成されている前方側開口を覆う蓋部と、を備え、前記蓋部は、前記収納容器を前記貯蔵室に収容した状態において、前記収納容器の開口を覆う閉鎖位置と、前記閉鎖位置よりも後方へ移動することにより前記収納容器の開口を開放する開放位置との間を移動可能であり、前記蓋部が前記閉鎖位置にあるとき、前記収納容器を前方へ移動させると、前記蓋部は前記収納容器に連動して開放位置側へ移動するとともに、前記蓋部を前記開放位置よりもさらに後方へ移動させることにより、前記蓋部は前記収納容器との連動が解除されて前記収納容器の開口を常に開放する開放保持位置に保持されることを特徴とする。
【発明の効果】
【０００６】
本発明によると、蓋部は収納容器を貯蔵室に収容した状態で閉鎖位置と開放位置のいずれかに保持可能である。そのため、収納容器の位置に関わらず、蓋部を自由に開閉することができる。また、蓋部が閉鎖位置にあるとき、収納容器を前方へ移動させると、蓋部は収納容器に連動して開放位置側へ移動する。そして、蓋部が開放位置へ移動したときに、蓋部をさらに後方へ移動、すなわち蓋部を後方へ押し込むことにより、蓋部は収納容器との連動が解除されて開放保持位置に保持される。これにより、蓋部が収納容器の開口を開放したまま、収納容器を前後に移動させることができる。このように、蓋部に触れることなく収納容器を引き出す動作だけで蓋部を移動させることができるとともに、蓋部を押し込む動作により、蓋部を開放保持位置に保持させることができる。
【発明を実施するための最良の形態】
【０００７】
以下、本発明の一実施形態による冷蔵庫を図面に基づいて説明する。
本発明の一実施形態による冷蔵庫を図２および図３に示す。冷蔵庫１０は、本体１１に、貯蔵室として、上から冷蔵室１２、左右に設けられている製氷室１３および切替室１４、ならびに冷凍室１５が順に形成されている。本体１１は、鋼板製の外箱と、樹脂製の内箱と、これらの間に充填された断熱材から構成されている。内箱の内部を断熱して仕切ることにより、内箱内に冷蔵室１２、製氷室１３、切替室１４および冷凍室１５がそれぞれ形成される。なお、切替室１４は、冷凍室としてもよい。
【０００８】
冷蔵室１２は、図３に示すように観音開き式の扉１６で閉鎖されている。また、製氷室１３、切替室１４、冷凍室１５は、それぞれ引き出し式の容器が収容されており、この容器の前面部を構成する扉で閉鎖されている。このように、冷蔵庫１０は、前面側に扉１６、１７、１８、１９を有している。扉１６には、プッシュ式の扉操作部２０が設けられている。この扉操作部２０を押し込むことにより、扉１６は図示しないソレノイドにより前方へ押し出され、扉１６は自動的に開放される。なお、扉１６は、手動でも開閉可能である。
【０００９】
図２は、冷蔵庫１０の扉１６を取り外すとともに、冷蔵室１２の側壁部を破断して示す冷蔵庫１０の斜視図である。冷蔵室１２には、複数の棚板２１が配置されている。また、冷蔵室１２には、棚板２１の下方に棚２２が配置されている。棚２２の下方には、収納容器３０が配置されている。収納容器３０は、冷蔵室１２に収容され、冷蔵庫１０の前後方向へ移動可能に設けられている。すなわち、収納容器３０は、冷蔵室１２から引き出し可能である。本明細書では、冷蔵庫１０の扉１６側を前方とし、扉１６とは反対側の後壁側を後方とする。棚板２１は、冷蔵室１２に収容する物品の大きさなどに応じて任意に位置を変更可能な可動棚である。一方、棚２２は、例えば清掃時など除き冷蔵室１２から取り外すことができない固定棚である。
【００１０】
収納容器３０の下方には、仕切板２３を挟んでチルドケース２４が設けられている。このチルドケース２４も、冷蔵庫１０の前後方向へ引き出し可能である。チルドケース２４の側方には、自動製氷装置用の給水タンク２５が配置されている。仕切板２３は、冷蔵室１２の幅方向すなわち図３の左右方向に伸びて冷蔵室１２を仕切っている。チルドケース２４および給水タンク２５は、特許請求の範囲のケースに相当する。本実施形態の場合、棚板２１、棚２２および収納容器３０など冷蔵室１２の内部に収容されている各部材は、いずれも樹脂で形成されている。なお、これらの材料は、樹脂に限らず、要求される強度や重量に応じて任意に変更することができる。
【００１１】
収納容器３０は、図４に示すように上方および前方が開口している。収納容器３０は、この上方の開口とは反対側に底部３１を有している。底部３１は、図２に示す仕切板２３と概ね平行に設けられている。また、収納容器３０は、幅方向の両端部に底部３１から概ね垂直に上方へ立ち上がる側壁３２を有している。さらに、収納容器３０は、前方の扉側において幅方向に伸び、二つの側壁３２間を接続する前壁３３を有している。収納容器３０は、図４に示すように側壁３２の外側に支持部３４を有している。図５に示すように冷蔵室１２を形成する内箱の内側には、スライドレール３５が取り付けられている。収納容器３０の支持部３４は、スライドレール３５に移動可能に取り付けられている。これにより、収納容器３０は、スライドレール３５によって幅方向の両端部が支持されている。スライドレール３５は、冷蔵庫１０の前後方向に伸びて設けられている。支持部３４がスライドレール３５を移動することにより、収納容器３０は冷蔵室１２の内部を前後へ移動可能である。
【００１２】
図１に示すように、収納容器３０を冷蔵室１２の最も後方側まで移動させているとき、収納容器３０の前端部は棚２２の前端部よりも前方すなわち扉１６側に位置している。また、収納容器３０を最も前方まで引き出しているとき、図６に示すようにチルドケース２４は引き出された収納容器３０よりもさらに前方へ引き出すことができる。
【００１３】
収納容器３０は、上述のように上方および前方に開口部を有している。図１に示すように収納容器３０の上方すなわち棚２２側の開口が上方側開口４１であり、収納容器３０の前方すなわち扉１６側の開口が前方側開口４２である。収納容器３０の上方側開口４１は、図１、図２および図５に示すように収納容器３０が冷蔵室１２の最も後方にあるとき、大部分が棚２２によって覆われている。また、収納容器３０の前方側開口４２は、図１（Ｂ）に示すように蓋部５０によって覆われる。収納容器３０の前壁３３は、収納容器３０の前方において前方側開口４２の下方を覆っている。
【００１４】
蓋部５０は、図１に示すように蓋体５１および蓋体５２の二つの部材から構成されている。蓋体５１は特許請求の範囲の第一蓋体に相当し、蓋体５２は特許請求の範囲の第二蓋体に相当する。蓋体５１と蓋体５２とは、互いに相対回転可能に関節部５３によって接続されている。図７に示すように、蓋体５２は、幅方向の両端部に設けられている側壁５２１から外側へ突出する突起部５２２を有している。突起部５２２は、側壁５２１からさらに外側へ突出している。一方、蓋体５１は、幅方向の両端部に設けられている側壁５１１に軸支部５１２を有している。軸支部５１２の内径は、突起部５２２の外径よりもやや大きい。そのため、蓋体５２から突出する突起部５２２を蓋体５１の軸支部５１２に挿入することにより、蓋体５１と蓋体５２とは互いに回転可能となる。このように、関節部５３は、蓋体５１と蓋体５２とを相対回転可能かつ一体に接続している。
【００１５】
蓋部５０は、図１（Ａ）に示すように前方側開口４２を開放し、開放した状態を維持する開放保持位置と、図１（Ｂ）に示すように前方側開口４２を覆う閉鎖位置との間を移動する。すなわち、蓋部５０は、図１（Ａ）に示すように開放位置にあるとき前方側開口４２を開放し、図１（Ｂ）に示すように閉鎖位置にあるとき前方側開口４２を覆っている。これにより、蓋部５０が前方側開口４２を覆う閉鎖位置にあるとき、蓋体５２は蓋体５１の下方側に位置する。一方、蓋部５０が前方側開口４２を開放する開放位置にあるとき、蓋体５２は蓋体５１の前方側に位置する。このように、蓋部５０を構成する二枚の蓋体５１および蓋体５２は、収納容器３０に対し移動可能に取り付けられている。開放位置と閉鎖位置との間を移動する蓋部５０の移動方向において、蓋体５１の全長は蓋体５２の全長よりも長く設定されている。すなわち、蓋体５１の短手方向の全長は、蓋体５２の短手方向の全長よりも長い。
【００１６】
図１（Ｂ）に示すように蓋部５０が閉鎖位置にあるとき、蓋体５１は蓋体５２に比較して上端部すなわち蓋体５２とは反対側の端部が冷蔵室１２の後方へ傾いている。すなわち、図１（Ｂ）に示す状態にあるとき、蓋体５１は、上端が移動時の支点となる摺動部材５５よりも後方に位置する。そのため、蓋体５１の重心は摺動部材５５よりも後方となり、蓋体５１は移動によって摺動部材５５を支点として後方へ倒れ込む。その結果、蓋体５１には、自重によって冷蔵室１２の後方へ押す力が加わり、蓋体５１の移動が補助される。したがって、蓋部５０を上昇位置へ移動させる際に必要な力を低減することができる。
【００１７】
蓋体５１には、図８に示すように柱部５１４が設けられている。柱部５１４は、蓋体５１の側壁５１１から外側へ突出して設けられるとともに、側壁５１１において軸支部５１２とは反対側の端部に設けられている。すなわち、柱部５１４は、蓋体５２とは反対側の端部に設けられ、蓋体５１の側壁５１１から外側すなわち冷蔵室１２を形成する本体１１の内壁側へ突出している。蓋体５１の幅方向の両端部は、図５に示すようにレバー６０によって支持されている。レバー６０は、図９および図１０に示すように軸方向において蓋体５１側の端部に筒部６１を有している。筒部６１は、蓋体５１の側壁５１１側の端面から反対側へ窪んで形成されている。この筒部６１の中には、蓋体５１の側壁５１１から突出する柱部５１４が挿入されている。筒部６１の内径は、柱部５１４の外径よりも大きい。これにより、蓋体５１とレバー６０とは、相対回転可能に接続されている。
【００１８】
レバー６０は、内側に軸方向へ伸びる長穴部６２を有している。長穴部６２は、レバー６０を板厚方向に貫いている。長穴部６２は、レバー６０の筒部６１すなわち蓋体５２側の端部から反対側の端部にかけて伸びている。また、棚２２は、図５に示すように幅方向の両端部に収納容器３０側すなわち下方へ伸びる側壁２２１を有している。棚２２の側壁２２１には、図９および図１０に示すように内側に収納容器３０側へ突出するガイドピン６３が設けられている。ガイドピン６３は、特許請求の範囲の軸部材であり、レバー６０の長穴部６２に挿入されている。
【００１９】
レバー６０は、図９に示すように蓋体５１と異なる部分において案内部材としてのガイドカム６４に接している。ガイドカム６４は、略Ｌ字形状に形成されており、図５および図９に示すように収納容器３０の側壁３２の外側に取り付けられている。ガイドカム６４は、収納容器３０の側壁３２と一体に形成されている。レバー６０は、ガイドカム６４に接することにより、移動の軌跡が規定される。そして、レバー６０がガイドカム６４に案内されつつガイドピン６３で支持されて回転することにより、レバー６０に支持されている蓋体５１の移動時の軌跡が規定される。
【００２０】
棚２２の側壁２２１には、図１１および図１２に示すように冷蔵室１２の前後方向へ伸びるレール部２７が設けられている。レール部２７は、側壁２２１の内側すなわち収納容器３０側に設けられている。レール部２７は、水平溝部２７１および円弧溝部２７２から構成されている。水平溝部２７１は、冷蔵室１２の前後へほぼ直線状に伸びて設けられている。円弧溝部２７２は、棚２２の前後方向において中央よりも前よりから、前方かつ下方へ円弧状に伸びて設けられている。円弧溝部２７２は、水平溝部２７１の下方に設けられている。
【００２１】
この水平溝部２７１には、図１１に示すようにレバー６０の筒部６１が嵌め込まれている。レバー６０の筒部６１には、蓋体５１から突出する柱部５１４が挿入されている。これにより、蓋体５１の柱部５１４が挿入されているレバー６０の筒部６１は、ガイドカム６４と反対側の端部が水平溝部２７１によって支持されている。その結果、蓋体５１は、ガイドカム６４と水平溝部２７１によって案内されるレバー６０とに支持され所定の軌跡に沿って移動する。なお、レール部２７は、冷蔵室１２を形成する本体１１の内壁に設けてもよい。
【００２２】
円弧溝部２７２は、図１２および図１３に示すように上方かつ後方側の端部にストッパ２７３を有している。ストッパ２７３は、円弧溝部２７２の下端からわずかに上方へ突出している。円弧溝部２７２は、上述のように棚２２に設けられているレール部２７の前後方向において中央よりも前よりから前方へ伸びている。そのため、円弧溝部２７２の上方かつ後方側の端部は、棚２２の前後方向における中央よりも前よりに位置している。その結果、ストッパ２７３も、棚２２の前後方向における中央よりも前よりに位置している。
【００２３】
蓋部５０の蓋体５２は、側壁５２１から外側へ突出する柱部５２３を有している。蓋体５２の柱部５２３は、円弧溝部２７２に嵌め込まれている。これにより、蓋体５２の柱部５２３は、円弧溝部２７２によって支持されている。その結果、蓋体５２は、柱部５２３が円弧溝部２７２に沿って移動する。すなわち、蓋体５２の移動は、円弧溝部２７２によって案内される。柱部５２３は、開放位置から閉鎖位置へ移動するときの前方側にリブ５２４を有している。リブ５２４は、柱部５２３と一体に形成されている。リブ５２４を設けることにより、柱部５２３の強度は高められている。
【００２４】
レール部２７およびガイドピン６３を有する棚２２は、冷蔵室１２を形成する本体１１に固定されている。そのため、収納容器３０を冷蔵室１２の前後へ移動することにより、収納容器３０と本体１１および棚２２とは相対的に前後の位置にずれが生じる。このとき、収納容器３０に設けられているガイドカム６４と接するレバー６０は、収納容器３０に連動して移動する。そして、レバー６０がガイドピン６３を軸として支持されつつ回転することにより、レバー６０の端部に接続されている蓋体５１が移動する。その結果、蓋体５１は、図１４に示すように収納容器３０の前後の移動に連動して移動する。具体的には、図１４（Ｂ）に示すように収納容器３０を前方へ引き出したとき、蓋体５１は開放位置側へ移動する。そして、関節部５３で蓋体５１と接続されている蓋体５２も、開放位置側へ移動する。一方、収納容器３０を後方へ押し戻したとき、図１４（Ａ）に示すように蓋体５１および蓋体５２は閉鎖位置側へ移動する。
【００２５】
蓋部５０が開放位置にあるとき、蓋部５０をさらに後方へ押し込むことにより、図１（Ａ）および図６に示すように蓋部５０は開放保持位置に移動する。開放保持位置にあるとき、蓋部５０は棚２２の下方に収納される。蓋部５０が開放保持位置にあるとき、図１１および図１３に示すように蓋体５２の柱部５２３はストッパ２７３を乗り越える。すなわち、蓋部５０を開放位置からさらに後方へ押し込むことにより、円弧溝部２７２に沿って移動した柱部５２３はストッパ２７３を乗り越えて後方へ移動する。これにより、蓋体５２の前方への移動が制限されるとともに、蓋部５０全体の移動が制限される。このように、円弧溝部２７２に設けられているストッパ２７３は、蓋体５１の移動を制限するロック機構部を構成している。
【００２６】
図１などに示すように蓋体５１は側壁５１１に突出部５５を有し、蓋体５２は側壁５２１に突出部５６を有している。突出部５５は蓋体５１と一体に形成され、突出部５６は蓋体５２と一体に形成されている。これらの突出部５５および突出部５６は、いずれも収納容器３０の側壁３２の前縁に設けられているフランジ３６と接している。蓋体５１の突出部５５および蓋体５２の突出部５６は、収納容器３０のフランジ３６に載せられている。そのため、蓋体５１および蓋体５２は、自身の重量により突出部５５および突出部５６がフランジ３６と接している。蓋体５１および蓋体５２は、突出部５５および突出部５６がフランジ３６と接することにより、フランジ３６の縁部に案内されつつ移動する。これにより、蓋体５１および蓋体５２が閉鎖位置と開放位置との間を移動するとき、フランジ３６によって蓋体５１および蓋体５２の移動軌跡が規定される。したがって、蓋体５１および蓋体５２が移動するために必要な空間を低減することができる。
【００２７】
突出部５５、５６は、それぞれ摺動部材をあわせて構成している。突出部５５および突出部５６は、蓋体５１および蓋体５２と別部品で形成し、蓋体５１および蓋体５２を構成する材料よりも摩擦抵抗の小さな材料で形成することが望ましい。なお、突出部５５、５６を蓋体５１または蓋体５２と一体に形成し、突出部５５、５６に摩擦抵抗の小さな摺動部材を貼り付ける構成としてもよい。
【００２８】
蓋体５１の突出部５５および蓋体５２の突出部５６は、収納容器３０に連動して閉鎖位置と開放位置との間を移動するとき、収納容器３０のフランジ３６と接している。一方、蓋部５０が開放保持位置にあるとき、図１、図１１および図１５などに示すように蓋体５１の突出部５５および蓋体５２の突出部５６はフランジ３６から離間する。すなわち、蓋部５０が開放保持位置にあるとき、蓋体５１の突出部５５および蓋体５２の突出部５６とフランジ３６との接触は解除される。これにより、フランジ３６に沿って移動する蓋体５１および蓋体５２の移動を軽快にすることができる。また、摺動部材を構成する突出部５５および突出部５６は、柔軟な弾性体、すなわちクッション性を有する材料で形成することが望ましい。突出部５５および突出部５６を柔軟な弾性体で形成することにより、蓋体５１および蓋体５２とフランジ３６との接触時に生じる音を低減することができる。
【００２９】
上述のように、蓋部５０を開放保持位置に移動させると、図１３に示すように蓋体５２の柱部５２３がストッパ２７３を乗り越え、蓋部５０の移動が制限される。このとき、レバー６０の下端部すなわち筒部６１の反対側の端部は、ガイドカム６４から離間している。そのため、蓋部５０が開放保持位置にあるとき、収納容器３０の移動によって、収納容器３０と棚２２との間に相対的な前後の位置のずれが生じても、レバー６０の下端部はガイドカム６４と接することなく移動する。また、蓋部５０が開放保持位置にあるとき、蓋体５１の突出部５５および蓋体５２の突出部５６と収納容器３０のフランジ３６との接触も解除されている。これにより、蓋部５０は、収納容器３０の前後の移動に関わらずその位置を保持する。したがって、蓋部５０が開放保持位置にあるとき、蓋部５０と収納容器３０との連動は解除される。なお、蓋部５０が開放保持位置にあるとき、レバー６０の下端部はガイドカム６４の上端面と接する構成としてもよい。この場合、レバー６４がガイドカム６４の上端面を滑り移動することにより、蓋部５０と収納容器３０との連動は解除される。
【００３０】
蓋部５０が開放保持位置にあるとき、蓋体５２を上方へ引き上げつつ前方へ引くことにより、蓋体５２の柱部５２３はストッパ２７３を前方側へ乗り越える。これにより、ストッパ２７３による蓋体５２の移動の制限は解除される。したがって、蓋部５０が開放保持位置にあるとき、蓋体５２を上方へ引き上げつつ前方へ引くことにより、蓋部５０は再び収納容器３０と連動して移動可能となる。また、蓋部５０が開放保持位置にあるとき、図１（Ａ）に示すように蓋部５０の前端部は棚２２の前端部よりも後方に位置している。
【００３１】
蓋部５０は、重心位置が可能な限り後方側に位置するように突出部５５および突出部５６の位置ならびにフランジ３６の形状が設定されている。すなわち、突出部５５および突出部５６は、蓋部５０が開放位置または開放保持位置にあるとき、蓋部５０の重心よりも後方に設けられている。このように重心位置を後方にすることにより、閉鎖位置から開放位置への蓋部５０の移動が容易になる。これとともに、重心位置を設定することにより、蓋部５０が閉鎖位置にあるとき蓋体５２の下端部はやや前方側へ傾斜し、蓋部５０が開放位置および開放保持位置にあるとき図１および図１４に示すように前端部（蓋部５０が閉鎖位置にあるときの下端部に一致する）はやや上方側へ傾斜する。このように、蓋部５０の重心を後方に設定することにより、蓋体５２が蓋体５１に対し図１の時計方向へ回転する。その結果、開放位置から開放保持位置にかけて蓋体５２は前方側開口をより大きく開放する方向へ回転する。したがって、収納容器３０の内部への物品の収納または物品の取り出しを容易にすることができる。
【００３２】
棚２２の側壁２２１の外側には、図９、図１０、図１２および図１４に示すようにダンパ７０が取り付けられている。ダンパ７０は、レバー６０を回転可能に支持している。ダンパ７０は、回転方向によってレバー６０に加える力が変化する回転ダンパである。すなわち、蓋部５０が閉鎖位置から開放位置へ移動するとき、ダンパ７０はレバー６０にほとんど力を加えない。一方、蓋部５０が開放位置から閉鎖位置へ移動するとき、ダンパ７０はレバー６０に回転を妨げる力を加える。これにより、蓋部５０が開放位置から閉鎖位置へ移動するとき、蓋部５０の移動速度すなわちレバー６０に支持されている蓋体５１の移動速度は低減される。したがって、蓋部５０の落下にともなう音の発生を低減することができるとともに、誤って伸ばした使用者の手と蓋部５０との衝突時の衝撃を緩和することができる。
【００３３】
蓋部５０が閉鎖位置にあるとき、上方に位置する蓋体５１は、前方すなわち扉１６側から力が加わると、レバー６０の筒部６１とともに柱部５１４が水平溝部２７１に沿って後方へ移動する。これにより、蓋部５０は、前方から力が加わると、収納容器３０の前方側を開放しつつ後方へ移動する。扉１６には、内側に飲料水のビンなどを収納するビンポケットが設けられている。例えばビンポケットに収容されているビンがビンポケットから突出しているとき、このビンと蓋体５１とが干渉し、蓋体５１の損傷を招くおそれがある。そこで、蓋体５１に前方の扉１６側から力が加わると、蓋体５１は蓋体５２とともに冷蔵室の後方へ移動する。したがって、蓋体５１の損傷を防止することができる。
【００３４】
また、蓋体５１の柱部５１４は筒部６１を経由して水平溝部２７１に支持されているため、蓋体５１は柱部５１４を軸として回転可能である。そのため、収納容器３０の内側から蓋体５１に力が加わると、蓋体５１は柱部５１４を軸として回転し、関節部５３が前方へ移動する。収納容器３０には、野菜などの食品が収納されるものの、それらが大型であったり、多くの食品を収納した場合、蓋体５１は収納容器３０の内側に収容されている食品などから力を受ける。そこで、蓋体５１に収納容器３０の内側から力が加わると、蓋体５１が柱部５１４を軸として扉１６側へ回転する構成としている。したがって、蓋体５１は扉１６側へ押し出され、蓋体５１の損傷を防止することができる。また、収納容器３０の内側から蓋体５２に力が加わると、蓋体５２は関節部５３を軸として時計方向に回転する。これにより、蓋体５２の損傷も防止することができる。
【００３５】
収納容器３０は、図１などに示すように前壁３３に凹部３７を有している。凹部３７は、前壁３３の上端部すなわち前壁３３の前方側開口４２側の端部に設けられている。凹部３７は、前壁３３の前端面から板厚方向に窪んで形成されている。これにより、蓋部５０が閉鎖位置にあるとき、前壁３３の凹部３７と蓋部５０の蓋体５２との間には使用者の指を挿入可能な空間が形成される。したがって、閉鎖位置にある蓋部５０の下方に指を挿入することができ、蓋部５０を開放位置へ容易に移動させることができる。
【００３６】
図１０および図１１に示すように、棚２２の水平溝部２７１の前端部には緩衝部材２８が設けられている。緩衝部材２８は、例えばゴムなどの弾性体で形成されている。蓋部５０が開放位置から閉鎖位置へ移動するとき、蓋体５１と一体に移動するレバー６０の筒部６１は水平溝部２７１に沿って前方へ移動する。そして、筒部６１が水平溝部２７１を形成する棚２２の前端と接することにより、筒部６１の移動が規制されるとともに、蓋体５１が閉鎖位置に停止する。水平溝部２７１の前端に緩衝部材２８を設けることにより、水平溝部２７１に沿って移動する筒部６１と水平溝部２７１を形成する棚２２との衝突時における衝撃が緩和される。したがって、水平溝部２７１の前端と筒部６１との衝突による衝撃を緩和することができ、衝撃にともなって生じる音を低減することができる。なお、緩衝部材２８は、水平溝部２７１の前端部に限らず、後端部に設けてもよい。
【００３７】
棚２２は、図１２および図１５に示すように収納容器３０側の端面にストッパ２９を有している。ストッパ２９は、例えばゴムなどの柔軟な弾性体で形成されている。ストッパ２９は、二枚の蓋体５１および蓋体５２に対応して棚２２の前後方向に二カ所設けられている。棚２２の収納容器３０側の端面にストッパ２９を設けることにより、閉鎖位置から開放位置へ移動する蓋部５０はストッパ２９によって棚２２との衝突が緩和される。したがって、蓋体５１および蓋体５２と棚２２との接触による蓋体５１および蓋体５２ならびに棚２２の損傷が低減される。なお、ストッパ２９は、二カ所に限らず三カ所以上設けてもよい。
【００３８】
図２、図５および図１６などに示すように、収納容器３０は、前壁３３の下方に手掛け部３８を有している。手掛け部３８は、前壁３３の下端部に設けられており、前端から後方へ窪んでいる。使用者は、手掛け部３８に手を掛けることにより、収納容器３０を容易に引き出すことができる。手掛け部３８は、前壁３３の幅方向すなわち図１６の左右方向において中央部付近に設けられている。このように幅方向の中央部付近に手掛け部３８を設けることにより、扉１６により冷蔵室１２を閉鎖したとき、図１６に示すように扉１６のビンポケット１６１は手掛け部３８の外側に位置する。その結果、ビンポケット１６１は、板厚の薄い手掛け部３８に当たらない。したがって、収納容器３０の破損を防止することができる。
【００３９】
図６に示すように、収納容器３０を冷蔵室１２の最も前方まで引き出しても、収納容器３０の前端は冷蔵室１２の開口面１２１よりも後方に位置する。すなわち、収納容器３０は、冷蔵室１２を形成する本体１１の前端よりも扉１６側に引き出せないように構成されている。例えば図１７に示すように冷蔵室１２を覆う扉１６は、冷蔵庫１０を据え付けた部屋の壁などの形状や家具の配置によって９０°以上開扉できない場合がある。この状態において、収納容器３０を前方へ引き出すと、収納容器３０と扉１６に設けられたビンポケット１６１とが衝突するおそれがある。収納容器３０とビンポケット１６１とが衝突すると、収納容器３０の破損を招いたり、収納容器３０に収納された食品の損傷を招くおそれがある。そこで、上述のように収納容器３０の前方への引き出しを制限することにより、収納容器３０および収納された食品などの損傷を低減している。
【００４０】
以上説明した一実施形態では、次のような効果を得ることができる。
蓋部５０は、収納容器３０の前方側開口４２を覆っている閉鎖位置にあるとき、収納容器３０を冷蔵室１２の前後へ移動させることにより、収納容器３０の移動に連動して閉鎖位置から前方側開口４２を開放する開放位置へ移動する。これにより、使用者は、収納容器３０を前後させるだけで収納容器３０の前方側開口４２を覆う蓋部５０の開閉を行うことができる。また、蓋部５０は、収納容器３０の位置や収納容器３０の移動に関わらず、レバー６０との接続部分を軸として回転させることにより、収納容器３０と干渉することなくいつでも収納容器３０とは独立して開閉可能である。したがって、収納容器３０の位置に関わらず蓋部５０を自由に開閉することができる。
【００４１】
また、蓋部５０は、開放位置にあるとき、さらに後方へ押し込むことにより、開放保持位置へ移動する。開放保持位置にある蓋部５０は、収納容器３０の移動に連動することなく、収納容器３０の前方側開口４２を開放した状態を維持する。これにより、使用者は、収納容器３０の内部の物品を出し入れするとき、蓋部５０の開閉が不要となる。したがって、簡単な操作で蓋部５０を収納容器３０と連動させたり、収納容器３０との連動を解除することができ、蓋部５０の取り扱いを容易にすることができる。
【００４２】
蓋部５０は、開放位置から開放保持位置へ移動させることにより、蓋体５２がストッパ２７３に保持される。すなわち、蓋部５０は、ストッパ２７３を乗り越えさせつつさらに後方へ押し込むことにより、閉鎖位置側への移動が制限される。これにより、開放位置にある蓋部５０が使用者の意図に反して閉鎖位置側へ移動することは防止される。したがって、不意な蓋部５０の落下を防止することができ、安全性を高めることができる。また、蓋部５０は、開放保持位置にあるとき、蓋体５２を上方へ持ち上げつつ手前に引くことにより、ストッパ２７３による移動の制限が容易に解除される。したがって、蓋部５０の移動を制限するロック機構部を簡単な構成にすることができるとともに、蓋部５０の開放保持位置への保持および解除を確実かつ容易に実施することができる。さらに、ストッパ２７３は、棚２２の前後方向において中央よりも前方側に位置している。すなわち、ストッパ２７３は、扉１６に近い位置に設けられている。そのため、使用者は、ストッパ２７３と蓋体５２との係合を容易に解除することができる。
【００４３】
蓋体５１の柱部５１４は、レバー６０の筒部６１と回転可能に接続している。レバー６０は、蓋体５１とは異なる部分がガイドカム６４に接している。また、柱部５１４が挿入された筒部６１は、棚２２の側壁２２１に設けられている水平溝部２７１に支持されている。さらに、レバー６０の内側に軸方向に設けられている長穴部６２には、側壁２２１から突出するガイドピン６３が挿入されている。これにより、軸方向の端部に蓋体５１を支持するレバー６０は、蓋体５１と異なる部分がガイドカム６４によって案内されるとともに、蓋体５１側が水平溝部２７１に案内されつつ、ガイドピン６３を軸として回転する。収納容器３０が冷蔵室１２の内部を前後に移動することによって、収納容器３０は冷蔵室１２に固定されている棚２２との間に相対的な位置のずれが生じる。このとき、レバー６０は、ガイドカム６４に沿って蓋体５１とは異なる部分の移動が案内されつつ、ガイドピン６３を軸として回転する。その結果、収納容器３０が冷蔵室１２の前方へ引き出されると、レバー６０に支持されている蓋体５１は蓋体５２とともに上昇位置へ移動する。また、レバー６０によって蓋体５１を支持することにより、蓋体５１の移動軌跡が決定し、蓋体５１および蓋体５２と棚２２との干渉が防止される。したがって、蓋部５０と棚２２との干渉を防止しつつ、収納容器３０の移動と蓋部５０による前方側開口４２の開閉とを連動させることができる。
【００４４】
また、収納容器３０と蓋部５０との間をレバー６０で支持し、レバー６０がガイドカム６４および水平溝部２７１に支持されつつガイドピン６３を軸に回転する構成としている。これにより、収納容器３０と蓋部５０とが連動して移動するとともに、収納容器３０の前後方向への移動量に対し、蓋部５０の移動量が大きくなる。すなわち、レバー６０をてこにすることにより、収納容器３０の移動量は蓋部５０へ拡大されつつ伝達される。したがって、収納容器３０のわずかな移動により、蓋部５０を大きく移動させることができる。
【００４５】
蓋体５１および蓋体５２は、収納容器３０の側壁３２の前縁に設けられているフランジ３６と接している。蓋体５１および蓋体５２は、自重によりフランジ３６側へ軽く押しつけられている。これにより、蓋体５１および蓋体５２は、フランジ３６によっても移動が案内される。したがって、蓋体５１および蓋体５２のばたつきを低減することができるとともに、蓋体５１および蓋体５２の移動軌跡を縮小することができる。また、蓋体５１および蓋体５２とフランジ３６との接触部分には突出部５５、５６が設けられている。突出部５５、５６は、蓋体５１および蓋体５２ならびにフランジ３６を形成する収納容器３０よりも摩擦抵抗が小さく、かつ弾力性を有している。したがって、蓋体５１および蓋体５２の移動を滑らかにすることができるとともに、蓋体５１および蓋体５２とフランジ３６との接触時の衝撃を緩和することができる。また、これらの突出部５５、５６は、収納容器３０の移動に連動して蓋部５０が閉鎖位置から開放位置へ移動するとき、フランジ３６に案内されて移動する。一方、蓋部５０が開放保持位置にあり、収納容器３０との連動が解除されているとき、突出部５５は水平溝部２７１に沿って移動し、突出部５６は円弧溝部２７２に沿って移動する。これにより、突出部５５および突出部５６は、収納容器３０のフランジ３６に接しない。したがって、蓋部５０と収納容器３０との連動または非連動を容易に切り替えることができる。
【００４６】
レバー６０は、回転方向によって加わる力の異なるダンパ７０によって支持されている。ダンパ７０は、蓋部５０を閉鎖位置から上昇位置へ移動するとき、すなわち前方側開口４２を開放するとき、レバー６０の回転すなわち蓋部５０の移動に力を加えない。これに対し、蓋部５０を開放位置から閉鎖位置へ移動するとき、すなわち前方側開口４２を蓋部５０で覆うとき、レバー６０の回転に力を加える。これにより、前方側開口４２を開放するとき、蓋部５０の移動を容易にすることができるとともに、前方側開口４２を覆うとき、蓋部５０の移動を緩やかにすることができる。
【００４７】
蓋体５１は、扉１６側すなわち収納容器３０の外側から力が加わると、水平溝部２７１に支持されている筒部６１および柱部５１４が後方へ移動する。これにより、蓋体５１は、扉１６側から力が加わると、棚２２の下方へ収納される。一方、蓋体５１に収納容器３０の内側から力が加わると、蓋体５１は筒部６１とともに水平溝部２７１に支持されている柱部５１４を軸として扉１６側へ回転する。これにより、蓋体５１と蓋体５２とを接続する関節部５３は前方すなわち扉１６側へ押し出される。これらの結果、蓋体５１に外部または内部から力が加わると、蓋体５１は移動または回転する。したがって、蓋体５１に加わる力を緩和することができ、蓋体５１の損傷を防止することができる。
収納容器３０の前壁３３には、蓋体５２側に凹部３７が設けられている。そのため、蓋部５０を閉鎖位置から開放位置へ移動させるとき、使用者は凹部３７を通して蓋体５２の下方へ指を挿入可能である。したがって、蓋部５０の移動、特に上昇位置への移動を容易にすることができる。
【００４８】
収納容器３０は、扉１６側の前端が上方の棚２２の前端よりも前方に位置している。これにより、収納容器３０を冷蔵室１２に設置する場合、前方側開口４２は棚２２の前方においてやや上方に形成される。また、蓋部５０が開放保持位置にあるとき、蓋部５０の蓋体５２の前端は棚２２の前端より後方に位置する。これにより、蓋部５０は、棚２２の前端から突出することなく、棚２２の下方に収納される。したがって、収納容器３０に収容されている物品へのアクセスを容易にすることができる。また、収納容器３０の下方に設けられているチルドケース２４は、収納容器３０よりも前方に引き出すことができる。これにより、収納容器３０を引き出した状態でチルドケース２４への物品にアクセすることができる。さらに、収納容器３０を前方へ最も引き出したとき、その前端は冷蔵室１２の扉１６側よりも後方に位置している。したがって、扉１６の開度に関係なく、収納容器３０を自由に移動させることができる。さらにまた、蓋部５０は、開放位置または開放保持位置にあるとき、前方に位置する蓋体５２は前端が上方へ傾いている。そのため、蓋体５２は、前方側開口４２の開口面積をさらに拡大する。したがって、収納容器３０の内部へのアクセスを容易にすることができる。
【００４９】
収納容器３０の前壁３３において幅方向の中央付近に手掛け部３８を設けている。これにより、扉１６のビンポケット１６１あるいはビンポケット１６１に収納された物品が前壁３３に当たっても、肉厚の薄い手掛け部３８付近への当たりが回避される。したがって、収納容器３０の損傷を低減することができる。
レール部２７の水平溝部２７１の前端部には緩衝部材２８が設けられている。これにより、蓋部５０の移動によるレバー６０の筒部６１と棚２２との衝突の衝撃を緩和することができる。また、棚２２は、収納容器３０側の端面にストッパ２９を有している。ストッパ２９は、二枚の蓋体５１および蓋体５２に対応して二つ以上設けられている。これにより、閉鎖位置から開放位置へ移動する蓋部５０と棚２２との衝突の衝撃が緩和される。したがって、これらの衝突時に生じる音を低減することができるとともに、棚２２および蓋部５０の損傷を低減することができる。
【００５０】
蓋部５０を構成する二枚の蓋体５１、５２のうち、閉鎖位置において上方に位置する蓋体５１は蓋体５２によりも移動方向の全長すなわち短手方向の全長が長い。これにより、蓋体５２は、短手方向の全長が短くなり、移動時に描く軌跡が縮小される。したがって、蓋体５２と他の部分、特に扉１６のビンポケットとの干渉を低減することができる。
収納容器３０は、冷蔵室１２の開口面１２１よりも前方に引き出すことができない。そのため、冷蔵室１２を覆う扉１６の開扉角度が９０°以下の場合でも、扉１６の内側に設けられているビンポケット１６１と収納容器３０との干渉が低減される。したがって、収納容器３０やビンポケット１６１の損傷、および収納容器３０に収納された食品の損傷を低減することができる。
【図面の簡単な説明】
【００５１】
【図１】本発明の一実施形態による冷蔵庫の収納容器の概略を示す部分断面図であって、（Ａ）は蓋部が開放位置にある状態を示す図、（Ｂ）は蓋部が閉鎖位置にある状態を示す図
【図２】本発明の一実施形態による冷蔵庫の一部を切断して示す概略斜視図
【図３】本発明の一実施形態による冷蔵庫を示す概略正面図
【図４】本発明の一実施形態による冷蔵庫の収納容器を示す概略斜視図
【図５】本発明の一実施形態による冷蔵庫の冷蔵室を示す概略斜視図
【図６】本発明の一実施形態による冷蔵庫の棚、収納容器およびチルドケースを示す概略側面図
【図７】本発明の一実施形態による冷蔵庫において蓋部の関節部を示す説明図
【図８】本発明の一実施形態による冷蔵庫の蓋体を示す概略斜視図
【図９】本発明の一実施形態による冷蔵庫の棚の一部を透視して収納容器および蓋部を示す概略図
【図１０】本発明の一実施形態による冷蔵庫の蓋部の近傍を拡大した概略図
【図１１】本発明の一実施形態による冷蔵庫の棚に設けられているレール部を示す概略図
【図１２】本発明の一実施形態による冷蔵庫において棚の側壁を示す概略図
【図１３】本発明の一実施形態による冷蔵庫において円弧溝部の端部近傍を示す概略図
【図１４】（Ａ）は図９の状態から収納容器を前方へ移動させた状態を示す図であり、（Ｂ）は（Ａ）の状態から収納容器をさらに前方へ移動させた状態を示す図
【図１５】本発明の一実施形態による冷蔵庫において、開放保持位置にある蓋部の近傍を示す概略図
【図１６】本発明の一実施形態による冷蔵庫の収納容器を示す概略正面図
【図１７】本発明の一実施形態による冷蔵庫の冷蔵室を高さ方向の中間で切断した断面を示す概略図
【符号の説明】
【００５２】
図面中、１０は冷蔵庫、１１は本体、１２は冷蔵室（貯蔵室）、１６は扉、２２は棚、２４はチルドケース（ケース）、２７はレール部、２８は緩衝部材、２９はストッパ、３０は収納容器、３６はフランジ、３７は凹部、３８は手掛け部、４１は上方側開口、４２は前方側開口、５０は蓋部、５１は蓋体（第一蓋体）、５２は蓋体（第二蓋体）、５５は突出部（摺動部材）、５６は突出部（摺動部材）、６０はレバー、６２は長穴部、６３はガイドピン（軸部材）、６４はガイドカム（案内部材）、７０はダンパ、２２１は側壁、２７１は水平溝部、２７２は円弧溝部、２７３はストッパ（ロック機構部）、５１４は柱部、５２３は柱部を示す。
【図１】
0004489107.tif 000002
【図２】
0004489107.tif 000003
【図３】
0004489107.tif 000004
【図４】
0004489107.tif 000005
【図５】
0004489107.tif 000006
【図６】
0004489107.tif 000007
【図７】
0004489107.tif 000008
【図８】
0004489107.tif 000009
【図９】
0004489107.tif 000010
【図１０】
0004489107.tif 000011
【図１１】
0004489107.tif 000012
【図１２】
0004489107.tif 000013
【図１３】
0004489107.tif 000014
【図１４】
0004489107.tif 000015
【図１５】
0004489107.tif 000016
【図１６】
0004489107.tif 000017
【図１７】
0004489107.tif 000018